(57)【特許請求の範囲】
【請求項１】
筐体と、
前記筐体に格納される光学読取部と、
前記光学読取部を動作させる第１の光学読取開始スイッチと、
前記第１の光学読取開始スイッチの配置面とその反対側の面とを接続する接続面に設けられ前記光学読取部を動作させる第２の光学読取開始スイッチと、
前記第１の光学読取開始スイッチより前記光学読取部側で、かつ前記第２の光学読取開始スイッチより前記第１の光学読取開始スイッチ側の、前記第１の光学読取開始スイッチの配置面と反対側の面に配置され、操作に関連した音を出力する音孔と、を備えた携帯端末。
【請求項２】
前記第２の光学読取開始スイッチは前記第１の光学読取開始スイッチの配置面と前記反対側の面とを接続する２つの接続面にそれぞれ設けられる、請求項１記載の携帯端末。
【請求項３】
前記筐体に形成される保持部をさらに備え、
前記音孔は前記光学読取部と前記保持部との間に配置される、請求項１又は請求項２記載の携帯端末。
【請求項４】
前記光学読取部と前記保持部との間には凹部が形成され、前記音孔は前記凹部に形成された請求項３記載の携帯端末。
【請求項５】
前記筐体に設けられ前記光学読取部の読取操作に係る表示を行う表示部をさらに備え、
前記音孔は前記筐体において前記表示部に近い側の端部と前記第１の光学読取開始スイッチとの間に配置される、請求項１乃至請求項４のいずれかに記載の携帯端末。
【請求項６】
前記音孔は、前記表示部が設けられる表示面と反対側の面において、前記光学読取部、前記保持部および前記第２の光学読取開始スイッチに囲まれた領域に形成される凹部に設けられる、請求項５記載の携帯端末。
【請求項７】
前記第２の光学読取開始スイッチの周囲における前記反対側の面側には突出部がそれぞれ
形成され、前記音孔は前記突出部の間に形成される谷部に設けられた請求項６記載の携帯端末。
【発明の詳細な説明】
【技術分野】
【０００１】
本発明は、筐体に設けられたスピーカ等の操作音、指示音を出力する音孔と、光学読取部を有し、荷物等に貼られたシールのコード、文字を読み取る携帯端末に関し、特に、携帯端末の通常操作において、操作者が良好な音を聞き取れるようにする技術に関する。
【背景技術】
【０００２】
近年、筐体内部にスピーカを収容すると共に、筐体上面にＬＣＤから構成される表示部を備え、表示装置手前に操作部を設けた携帯端末が多く利用されるようになってきている。このような携帯端末においては、スピーカからの発生音を筐体外部に導くためのスピーカ音孔が設けられるが、スペース的な制限などにより、筐体の背面や側面の操作者が携帯端末を把持する近傍位置に設けられることが多い（例えば、特許文献１、２参照）。
【０００３】
特許文献１に記載されている従来の携帯端末は、筐体前面に主表示部が設けられ、筐体背面にスピーカ音孔が設けられている。更に、筐体背面には、スピーカ音孔を覆うように放出音制御部材が配置され、放出音制御部材には、スピーカの発生音を筐体上面方向に放出するための開口部が形成されている。このような構成を有することにより、シャツの胸ポケットに入れた携帯端末に着信があった場合、スピーカから発せられる着信音をユーザが容易に聞き取ることが可能になる。
【０００４】
また、特許文献２に記載されている従来の携帯端末は、スピーカ音孔を筐体側面に配置、両者の距離を離すことにより、ステレオ効果を向上させるようにしている。特許文献２にはスピーカ音孔が筐体側面に設けられた従来の携帯端末が示されている。
【０００５】
図１を参照すると、従来の携帯端末は、第１筐体と、第２筐体とを備えており、第１筐体と第２筐体は、ヒンジ部３により回転可能に連結されている。
第１筐体の前面には、受話部と、ＬＣＤにより構成される主表示部とが設けられ、筐体１の内部には、２個のスピーカが収容されている。また、第２筐体の前面には、テンキーなどを含むキー操作部と、送話部とが設けられている。
【先行技術文献】
【特許文献】
【０００６】
【特許文献１】特開２００２−３４４６０２号公報
【特許文献２】特開２００６−１５７４６４号公報
【発明の概要】
【発明が解決しようとする課題】
【０００７】
ところで、近年の携帯端末には、バーコード等を光学的に読取り、種々の機能が付加されており、例えば、表示部に表示されている画像を見ながら画像を取り込み、スピーカから出力される音声により画像取得を確認するような機能も付加されてきている。
【０００８】
また、特許文献２に記載されている従来の携帯端末では、スピーカ音孔が筐体側面に設けられているため、携帯端末の保持方法の如何によってはスピーカの音孔を操作者が手で塞いでしまい、操作者が良好に画像取り込みの完了音を確認できない場合もあり得た。
そこで、本発明の目的は、端末下面にスピーカ音孔が設けられた携帯端末において、操作時にスピーカの音孔を操作者が塞いで、明瞭に携帯端末からの音を操作者が確認できなくなることを防止することにある。
【課題を解決するための手段】
【０００９】
本発明の携帯端末は、筐体と、前記筐体に格納される光学読取部と、前記光学読取部を動作させる第１の光学読取開始スイッチと、前記第１の光学読取開始スイッチの配置面とその反対側の面とを接続する接続面に設けられ前記光学読取部を動作させる第２の光学読取開始スイッチと、前記第１の光学読取開始スイッチより前記光学読取部側で、かつ前記第２の光学読取開始スイッチより前記第１の光学読取開始スイッチ側の、前記第１の光学読取開始スイッチの配置面と反対側の面に配置され、操作に関連した音を出力する音孔と、を備える。
【００１０】
また、第２光学読取開始スイッチを前記端末装置の側面に設け、前記第２光学読取開始スイッチと前記第１の光学読取スイッチとの間に前記音孔を設けたものとしている。
【００１１】
また、側面に設けた前記第２光学読取開始スイッチの周囲が下面凸部として前記筐体裏面より突出しており、前記音孔は前記下面凸部の間に位置しているものとしている。
【００１２】
これらの構成により、スピーカの発生音は、音孔周囲の間隙から外部に放射され、操作者が容易に聞き取ることができる。また、本願の構成とすれば音孔の出口付近の筐体部分は、光学コードリーダの読取開始時には操作者の指が入り込みずらい。なぜなら特に光学読取時には読み取り対象を取り込むために携帯端末をいろいろな持ち方をする可能性がり、このときに音孔を塞いでしまう可能性が高いが、光学読取スイッチには必ず指をかけた状態で読取画像を表示部で確認しながら操作しているため、光学読取スイッチ、表示部、光学読取部を本願の構成とすれば音孔は塞がれることがないからである。また机の上において携帯端末を操作する場合あっても、光学読取部とグリップ部で音孔周辺はアーチ状に空間が設けられるため、操作者は携帯端末の発生する音を確認しやすい。さらに、携帯端末を屋外で使用する場合には雨への配慮も必要になってくるが、防水し難いスピーカ周辺を下面にしたことで対防滴性も向上させた携帯端末を提供することができ、特に宅配業者のドライバー等用いる場合に好ましい。
【発明の効果】
【００１３】
本発明によれば、携帯端末の上面の読取開始ボタンを使用する場合、最も自然な姿勢で携帯端末を把持して用いれば操作指示音の出力部を指で塞ぐことの無い配置としている、また、携帯端末側面の読取開始ボタンを用いた場合でも掌で音孔を塞ぐことが無い構成としている。さらに読取開始ボタン以外の操作部を操作する場合に、机上等に携帯端末を置いて操作するような場合にも光学読取部である凸部と筐体を把持する部分に指がかかりやすくした第２の凸部とで音孔周辺に隙間が構成され、特に机上では机での操作指示音の反射が操作者に返って来易いため操作音が確認しやすい携帯端末を提供するものである。
【図面の簡単な説明】
【００１４】
【図１】第１の実施例の携帯端末の上面を示す図。
【図２】第１の実施例の携帯端末の下面を示す図。
【図３】第１の実施例の携帯端末の左側面を示す図。
【図４】第２の実施例の携帯端末の外観を示す図。
【図５】第２の実施例の携帯端末をその上縁から見た上面図。
【図６】第２の実施例の携帯端末の下面を示す図。
【発明を実施するための形態】
【００１５】
次に、発明を実施するための最良の形態について図面を参照して詳細に説明する。
【００１６】
（実施の形態１）
次に、本発明にかかる携帯端末の第１の実施の形態について図１から図３を用いて説明する。ここで、図１における上方向が携帯端末前縁部であり、図１における下方向が携帯端末後縁部であり、操作者は通常、装置後縁部を自分に近い方向に向けて使用する。
【００１７】
本実施の形態の携帯端末は図１ないし図３に示すように筐体の上面に表示部２、操作部３、光学読取開始のスイッチであり請求項では第１の光学読取開始スイッチとしたスキャンボタン４を設けている。また表示部横の筐体の側面には同じく光学読み取りを開始する第２スキャンボタンを両側に設けている。また、筐体下面の前縁付近に光学ヘッド７を設け、携帯端末から操作音、指示音声、動作のイベントを知らせる確認音を出力する音孔５を設けている。
【００１８】
この音孔５の内部にはスピーカ（図示せず）を設けてあり、スピーカの音声を音孔５から外部に放出している。またこの音孔５は筐体上面に設けたスキャンボタン４より筐体前縁側の位置に設けている。この音孔５は音の反射も合わせて考慮するとスキャンボタン４と側面の第２スキャンボタン９a,９bと中心線を合わせた筐体中央の位置が好ましい。床、机、荷物等からの反射音が操作者に届き易いからである。
【００１９】
音孔５とスキャンボタン４との位置関係を詳細に説明する。音孔５の中心線３５とスキャンボタン４の中心線３４とを図３に示している。ここに示すように音孔５はスキャンボタン４より携帯端末の前縁、つまり操作部３より遠い側に設けられている。音孔５は後述の実施例のように第２スキャンボタンと同じ位置でもかまわない。
【００２０】
また装置下部の音孔より後縁に近い部分にグリップ部６を設けている。これは装置下面が平らでなんら引っかかりがないと、携帯端末の保持がしにくいためである。また通常はこのグリップ部が携帯端末の電池蓋に形成されていて、重量がかさむ電池の部分が掌の中に納まり、全体として携帯端末の保持性を向上させている。
【００２１】
光学ヘッド７の一部は読取光に対して透明な部分である光学コード読取口８があり、赤外あるいは赤色レーザ光で読取る場合には一見したところスモーク処理がされているように見える場合もあるが、一般的には透明な部材（プラスチック等）で構成されている。
【００２２】
携帯端末を平坦な机に置くと光学ヘッド７とグリップ部６とで携帯端末をささえるため、音孔５の周囲はアーチ状の空間があり、スピーカからの音は良好に外部に伝達される。
【００２３】
携帯端末で画像を取得する場合に操作者が表面のスキャンボタン４を用いる場合を想定してみる。操作者はおおむね親指でスキャンボタン４を操作するものと思われる。この場合残りの４本の指はグリップ部６を包むようにして携帯端末１を保持する。このように保持すると４本の指は親指の位置より装置後縁に位置するため、スキャンボタン４より携帯端末前縁に近い位置に音孔５を設ければ携帯端末１を保持する指が音孔５を塞いでしまうことは無い。
【００２４】
次に左手で携帯端末１を保持し、右手で操作部３のボタン、スキャンボタン４を操作する場合を想定してみる。この場合右手でボタンを押す力を携帯端末１を保持する左手で受けるのであるが、携帯端末１の前縁近くを保持するとボタン操作のたびに左手にモーメン
ト力がかかり操作がし難い。
【００２５】
このため自然と操作者は操作部３スキャンボタン４の真下である装置後縁近くを保持する、このため左手の掌がグリップ部６を包み込むようにして保持する。この場合も指が音孔５のところに掛かることは無い。この場合はスキャンボタン４と操作部３は近接していることが好ましい。より好ましくは操作部３の一部にスキャンボタン４が取り込まれているのが良い。
【００２６】
次に側面に設けた第２スキャンボタン９a,９bを用いる場合を想定してみる。この場合操作者は携帯端末１の上面から掴むように保持し、親指と人差し指を第２スキャンボタンにかけて画像を取り込む場合がある。この場合は手の指が携帯端末１に深く掛からず、また４本の指は曲がり気味になって携帯端末を保持するため音孔５を指が塞ぐことは無い。
【００２７】
また、グリップ部６を掌に置き、携帯端末下面から親指と人差し指を第２スキャンボタン９a,９bに伸ばして画像を取り込む場合も考えられるがこのときは親指と人差し指が大きく開きＶ字上になるため携帯端末下面の音孔はこのＶの中、あるいはＶの字より携帯端末前縁側にあるため塞がれることはない。
（実施の形態１の効果）
本実施の形態によれば、表示部２、操作部３、スキャンボタン４、音孔５、グリップ部６を本実施例のように配置すれば、どの様な保持方法としても音孔５を指、掌が塞ぐことはないため、操作者は明瞭に携帯端末１からの音を確認できるという効果を得ることができる。
【００２８】
（実施の形態２）
次に、本発明にかかる携帯端末の第２の実施の形態について図４から図６を用いて説明する。第１の実施の形態と同じである表示部２操作部３スキャンボタン４等は同一の番号を付してある。第２の実施例の特徴は第２スキャンボタン９a,９bの周囲のハウジングが筐体下面より突出していることである。さらには付随的に光学ヘッド７必ずしも筐体下部より突出していなくても良いことである。
【００２９】
図４は第２の実施の形態に係る携帯端末の斜視図であり、図５、図６と合わせてみれば明らかなように側面に設けた第２スキャンボタン９a、９ｂの周囲が筐体下面より突出していることを示している。
【００３０】
このような筐体下面の形状においては、第1に音孔５がハウジング４１の谷間の部分に位置することとなり、図６に示すように音孔を縦長に形成すれば操作時の指がたとえハウジングの谷に滑り込んでも塞いでしまいにくくなっている。また、通常はハウジングにより指や掌と筐体との間に隙間が形成されるため、より確実に操作音等が音孔５より放出される。
【００３１】
また机等に携帯端末を置いた場合にはハウジング４１とグリップ部６とが携帯端末を机等から離しているため良好に音孔５からの音を聞き取ることができる。さらにハウジング部の傾斜は音孔に向けて緩やかな傾斜する面を構成しているため携帯端末の上縁部分、側面に向けて机の表面と合わさってホーン状の形状を形成するため操作者は手に持って使用するときよりも音孔からの音声が聞き取り易くなる。
（実施の形態２の効果）
本実施の形態によれば、どの様な保持方法としても音孔５を指、掌が塞ぐことはないばかりでなく、机上において使用する場合に操作者はより明瞭に携帯端末１からの音を確認できるという効果を得ることができる。
【産業上の利用可能性】
【００３２】
本発明は、筐体前面に表示部を有し且つ筐体側面にスピーカ音孔を有し、表示部に表示されている画像を見ながらスピーカ音孔から放射される音を聞くような使い方をする携帯端末に適用すると好適である。
【符号の説明】
【００３３】
１ 携帯端末
２    表示部
３    操作部
４    スキャンボタン
５    音孔
６    グリップ部
７    光学ヘッド
４１  ハウジング
【図１】
0005712347.tif 000002
【図２】
0005712347.tif 000003
【図３】
0005712347.tif 000004
【図４】
0005712347.tif 000005
【図５】
0005712347.tif 000006
【図６】
0005712347.tif 000007